(57)【要約】      （修正有）【課題】チェーンピン保持方法を提供する。【解決手段】複数のリンク４、５と、複数のリンクを相互に接続する複数の結合部材９とを有する連続可変トランスミッション用のチェーンベルト。結合部材のそれぞれは外周面と、第１の準備された表面を有する第１端部９ａと、第２の準備された表面を有する第２端部９ｂとを有する。準備された表面は、結合部材の外周面からある深さまで延在する。第１の保持部材１２が結合部材の第１の準備された表面に固定され、第２の保持部材が結合部材の第２の準備された表面に固定される。第１および第２の保持部材は複数のリンクを結合部材上に保持する。【選択図】図３
2018136019.tif 000002
【特許請求の範囲】
【請求項１】
連続可変トランスミッション用のチェーンベルトであって、
複数のリンクと、
外周面を有し、前記複数のリンクを相互に接続する複数の結合部材であって、各結合部材が、第１の準備された表面を有する第１端部と、第２の準備された表面を有する第２端部とを有し、前記第１の準備された表面および前記第２の準備された表面が、前記結合部材の前記外周面からある深さまで延在する、複数の結合部材と、
前記結合部材の前記第１の準備された表面に固定された第１の保持部材と、
前記結合部材の前記第２の準備された表面に固定された第２の保持部材と
を含むチェーンベルト。
【請求項２】
前記第１の準備された表面および前記第２の準備された表面が円形であり、前記第１の準備された表面が第１の半球形保持部材を受け入れ、前記第２の準備された表面が第２の半球形保持部材を受け入れる、請求項１に記載のチェーンベルト。
【請求項３】
前記第１の準備された表面および前記第２の準備された表面が長方形の切欠きであり、前記第１の準備された表面が第１の円筒形保持部材を受け入れ、前記第２の準備された表面が第２の円筒形保持部材を受け入れる、請求項１に記載のチェーンベルト。
【請求項４】
前記第１の準備された表面および前記第２の準備された表面が長方形の切欠きであり、前記第１の準備された表面が第１の長方形柱体保持部材を受け入れ、前記第２の準備された表面が第２の長方形柱体保持部材を受け入れる、請求項１に記載のチェーンベルト。
【請求項５】
前記第１の準備された表面および前記第２の準備された表面が、前記結合部材の端部から延在しかつ前記結合部材の前記外周面に対して垂直であるＬ字形平坦部である、請求項１に記載のチェーンベルト。
【請求項６】
前記第１の準備された表面が第１の円筒形保持部材を受け入れ、前記第２の準備された表面が第２の円筒形保持部材を受け入れる、請求項５に記載のチェーンベルト。
【請求項７】
前記第１の準備された表面が第１の長方形柱体保持部材を受け入れ、前記第２の準備された表面が第２の長方形柱体保持部材を受け入れる、請求項５に記載のチェーンベルト。
【請求項８】
前記第１の準備された表面および前記第２の準備された表面がｖ字形の切欠きであり、前記第１の準備された表面が第１の長方形柱体保持部材を受け入れ、前記第２の準備された表面が第２の長方形柱体保持部材を受け入れる、請求項１に記載のチェーンベルト。
【請求項９】
前記第１の準備された表面および前記第２の準備された表面がｖ字形の切欠きであり、前記第１の準備された表面が第１の円筒形保持部材を受け入れ、前記第２の準備された表面が第２の円筒形保持部材を受け入れる、請求項１に記載のチェーンベルト。
【請求項１０】
前記第１の保持部材が前記第１の準備された表面に固定され、前記第２の保持部材が前記第２の準備された表面に溶接によって固定される、請求項１に記載のチェーンベルト。
【請求項１１】
前記結合部材が少なくとも１つのロッカーピンを含む、請求項１に記載のチェーンベルト。
【請求項１２】
前記結合部材がピンを含む、請求項１に記載のチェーンベルト。
【発明の詳細な説明】
【技術分野】
【０００１】
本発明は、エンドレスループ型動力伝達要素の分野に関する。特に本発明は、連続可変トランスミッション（ＣＶＴ）用チェーンベルトのチェーンピン保持に関する。
【背景技術】
【０００２】
一部の連続可変トランスミッション（ＣＶＴ）は、チェーンベルトと、チェーンベルトによって接続された２つのプーリ（一般に「滑車」と呼ばれる）とを使用する。各滑車は、傾斜した内面を有する２つの半部を有し、滑車の半部間の距離は変わることができる。滑車の内側の距離を変えることは、滑車の傾斜した内面と接触するチェーンベルトの負荷部材（ストラット）を回転軸の半径方向内側または外側に移動させることによって、滑車の有効直径を変える。滑車を逆方向に拡大または縮小させることによって、伝達比（駆動滑車および従動滑車の回転速度の比率）は、チェーンベルトの負荷部材が各滑車の傾斜内面と接触する位置を変えることによって、変えられる。
【０００３】
連続可変トランスミッション用のチェーンベルトは、ピンまたはストラットを介して互いに接続される開口を有する縦方向のリンクを含む。球形金属球、金属ビーズ、半球形金属要素、円筒形金属要素、および正方形金属ブロックなどの保持要素が、ピンまたはストラットの丸みを帯びた準備されていない表面端部に溶接され、リンクがストラットから落下しないように、またはリンクが誤整列されないように使用される。ストラットの表面端部の溶接された要素は、丸みを帯びた準備されていない表面に対する溶接および取付けの変形のせいで、チェーンの取扱い中に簡単にとれる恐れがある。
【発明の概要】
【課題を解決するための手段】
【０００４】
複数のリンクと、複数のリンクを相互に接続する複数の結合部材とを有する連続可変トランスミッション用のチェーンベルト。結合部材のそれぞれは外周面と、第１の準備された表面を有する第１端部と、第２の準備された表面を有する第２端部とを有する。準備された表面は、結合部材の外周面からある深さまで延在する。第１の保持部材が結合部材の第１の準備された表面に固定され、第２の保持部材が結合部材の第２の準備された表面に固定される。第１および第２の保持部材は複数のリンクを結合部材上に保持する。
【図面の簡単な説明】
【０００５】
【図１】本発明のある実施形態のチェーンベルトの斜視図を示す。
【図２】本発明のある実施形態のチェーンベルトの側面図を示す。
【図３】本発明のある実施形態の図２のチェーンベルトの線３−３に沿った断面図を示す。
【図４】代替実施形態の結合部材の保持ピンおよび関連する穴を有する図２のチェーンベルトの線３−３に沿った断面図を示す。
【図５】別の代替実施形態の結合部材の保持ピンおよび関連する穴を有する図２のチェーンベルトの線３−３に沿った断面図を示す。
【図６】本発明の別の実施形態のチェーンベルトの斜視図を示す。
【図７】本発明の別の実施形態のチェーンベルトの側面図を示す。
【図８】本発明の別の実施形態の図７のチェーンベルトの線８−８に沿った断面図を示す。
【図９】本発明の別の実施形態のチェーンベルトの上面図を示す。
【図１０】本発明の別の実施形態の円形の準備された表面を有する結合部材を示す。
【図１１】半球形保持部材が結合部材の円形の準備された表面によって受け入れられている図１０の結合部材を示す。
【図１２】結合部材のそれぞれが図１０および１１に示された円形の準備された表面と半球形保持部材とを有するチェーンベルトの斜視図を示す。
【図１３】本発明の別の実施形態の長方形切欠きの準備された表面を有する結合部材を示す。
【図１４】円筒形保持部材を有する図１３の結合部材を示す。
【図１５】結合部材が図１３および１４に示された円筒形保持部材を有するチェーンベルトの斜視図を示す。
【図１６】長方形柱体保持部材を有する図１３の結合部材を示す。
【図１７】図１３および１６に示された長方形柱体保持部材を受け入れる長方形の切欠きの準備された表面を有する結合部材を有するチェーンベルトを示す。
【図１８】本発明の別の実施形態の平坦部の準備された表面を有する結合部材を示す。
【図１９】円筒形保持部材を有する図１８の結合部材を示す。
【図２０】図１８および１９に示された平坦部の準備された表面と円筒形保持部材とを有する結合部材を有するチェーンベルトの斜視図を示す。
【図２１】長方形柱体保持部材を有する図１８の結合部材を示す。
【図２２】図１８および２１に示された平坦部の準備された表面と長方形柱体保持部材とを有する結合部材を有するチェーンベルトの斜視図を示す。
【図２３】本発明の別の実施形態のｖ字形切欠きの準備された表面を有する結合部材を示す。
【図２４】円筒形保持部材を有する図２３の結合部材を示す。
【図２５】図２３および２４に示されたｖ字形切欠きの準備された表面と円筒形保持部材とを有するチェーンベルトの斜視図を示す。
【図２６】長方形柱体保持部材を有する図２３の結合部材を示す。
【図２７】図２３および２６に示されたｖ字形切欠きの準備された表面と長方形柱体保持部材とを有するチェーンベルトの斜視図を示す。
【発明を実施するための形態】
【０００６】
図１〜５は連続可変トランスミッション用のチェーンベルトを示す。チェーンベルト３は交互になったリンク４および５の組を有する。リンク４〜５のそれぞれは、少なくとも１つの開口８を有し、好ましくは開口の組を有する。リンク４〜５の組は、ＣＶＴの負荷部材またはストラットとして機能する結合部材９を介して相互に結合される。リンクの数は、本発明の範囲内において、図に示されるリンクから変化してもよいことに留意されたい。
【０００７】
結合部材９は第１端部９ａおよび第２端部９ｂを有し、交互になったリンク４〜５の組は第１端部９ａと第２端部９ｂとの間で結合部材９に通される。結合部材９はまた、第１端部９ａに第１の穴１０を、および第２端部９ｂに第２の穴１１を含み、それらはそれぞれ保持部材１２を受け入れるためのものである。保持部材１２はリンク４〜５の組が結合部材９から落下することを防止し、および誤整列されることを防止する。結合部材９の第１端部９ａの穴１０の位置および第２端部９ｂの穴１１の位置は、図に示される位置と変わってもよく、それは接続されたリンク４〜５の組の幅Ｗに依存する。
【０００８】
図３に示されるように、結合部材９の穴１０および１１のそれぞれは、ピンなどの保持部材１２を受け入れることができる。ピン１２は穴１０、１１に溶接されてもよい。あるいは、穴１０、１１は、ピン１２よりもわずかに小さくなるように、またはピン１２と実質的に同じサイズになるようにサイズ決めされてもよく、その結果、ピン１２はいったん挿入されると溶接なしに穴に固定される（圧入嵌め）。
【０００９】
ピン１２は長方形、正方形、円形またはいくつかの形状の組合せであってもよい。穴１０、１１は、円形、正方形、長方形、またはいくつかの形状の組合せであってもよい。穴１０、１１は、止まり穴、通し穴、段付き穴、または多段穴であってもよい。
【００１０】
図４に示されるような代替実施形態において、結合部材９の穴２０、２１は、段を付けられる、または複数の段を付けられる。ピン２２は、頭部２２ａおよび尾部２２ｂを備えて成形されてもよく、またきのこ状であってもよい。穴２０、２１は、ピン２２の頭部２２ａを受け入れるが頭部２２ａが穴２０、２１から取り出されないように成形されてもよく、基本的にはピン２２を穴２０、２１に固定する。
【００１１】
別の実施形態において、結合部材９の穴３１、３２は、図５に示されるように、Ｌ字形３１、３２であってもよく、それによりピン３０を圧入嵌めまたは滑り嵌めし、次いで曲げることが可能になり、その結果、ピン３０の一部３３が結合部材のＬ字形の穴３１、３２に捕捉され、取り出すことができないようにする。
【００１２】
結合部材９は、図１〜５に示されるように単一の接続ピンであってもよく、または図６〜９に示されるように、ジョイントピンとロッカーピンとから構成される接続ピンであってもよい。
【００１３】
図６〜９を参照すると、チェーンベルト３は、交互になったリンク４および５の組を有する。リンク４〜５のそれぞれは、少なくとも１つの開口８を有する。リンク４〜５の組は、ＣＶＴの負荷部材またはストラットとして機能する結合部材４９を介して相互に結合される。結合部材４９はジョイントピン４１およびロッカーピン４２を含む。ジョイントピン４１およびロッカーピン４２はそれぞれ第１端部４１ａ、４２ａおよび第２端部４１ｂ、４２ｂを有する。交互になったリンク４〜５の組は、ジョイントピン４１およびロッカーピン４２の第１端部４１ａ、４２ａおよび第２端部４１ｂ、４２ｂの間で結合部材４９に通される。ジョイントピン４１およびロッカーピン４２はそれぞれ第１端部４１ａ、４２ａに第１の穴５０を、および第２端部４１ｂ、４２ｂに第２の穴５１を含み、それらは保持部材５３を受け入れるためのものである。保持部材５３はリンク４〜５の組が結合部材４９から落下することを防止し、および誤整列されることを防止する。結合部材４９の第１端部４１ａ、４２ａおよび第２端部４１ｂ、４２ｂの穴５０、５１の位置は、図に示される位置から変わってもよく、それは接続されたリンク４〜５の組の幅Ｗに依存する。さらに、穴５０、５１は図３〜５に示されるように成形されてもよい。同様に、関連する保持部材５３も同じく、図３〜５に示されるように成形されてもよい。
【００１４】
上に記載された実施形態において、結合部材の穴は、結合部材の内側に存在する穴よりも直径が小さいものであることができる、保持部材を最初に受け入れるための入口を結合部材の表面に有してもよい。この穴は、可変の直径を有してもよく、または段を付けられる、または複数の段を付けられる。いくつかの実施形態の保持部材は、溶接またはリベット打ちなどのプロセスを介して結合部材に機械的に結合される。これらの実施形態のいくつかにおいて、保持部材を穴の中に機械的に取り付けるために、保持部材自体が形状を実質的に変える。
【００１５】
本発明の実施形態において、保持部材は、リンクの開口が保持部材を通り過ぎることを防止する量だけ、従ってリンクが結合部材から落下することを防止する量だけ、結合部材から突出する。
【００１６】
他の実施形態では、保持部材は、結合部材の準備された表面によって受け入れられる。結合部材の準備された表面は、非球形または非丸形でありかつ結合部材の外周面を中断する表面である。準備された表面は平坦部、溝または切欠きなどの窪みによるものであってもよい。準備された表面の幾何学的形状は、それが受け入れる保持部材の形状に一致していてもいなくてもよい。保持部材は、半球形、球形、円形、丸形、円筒形、正方形、または長方形を含むがそれらに限定されないいずれかの対応する形状のものであることができる。結合部材のこの準備された表面は、保持部材を位置付けるために使用される一方、実際の取付けプロセスは溶接または別の冶金学的な取付けによって達成される。これは、保持部材は結合部材に機械的に取り付けられず、もっぱら冶金学的に取り付けられ、保持要素は取付けプロセスの間形状を変えないことを意味する。保持部材は好ましくは金属である。図１０〜２７の実施形態は、図１〜９に同様に示される機械的な位置付けの利点を維持する。
【００１７】
図１０〜１２は、チェーンベルト６３の結合部材６９上の準備された表面６０と半球形保持部材６４とを示す。チェーンベルト６３は、交互になったリンク４〜５の組を有する。リンク４〜５のそれぞれは、少なくとも１つの開口８を有する。リンク４〜５の組は、ＣＶＴの負荷部材またはストラットとして機能する結合部材６９を介して相互に結合される。結合部材６９はジョイントピン６１およびロッカーピン６２を含む。ジョイントピン６１およびロッカーピン６２はそれぞれ第１端部６５および第２端部を有する（図９参照）。交互になったリンク４〜５の組は、ジョイントピン６１およびロッカーピン６２の第１および第２端部の間で結合部材６９に通される。ジョイントピン６１およびロッカーピン６２はそれぞれ第１保持部材６４を受け入れるために第１端部６５に第１の円形の準備された表面６０を含み、および図示しないが、ジョイントピン６１およびロッカーピン６２の第２端部に第２の円形の準備された表面６０を含む。第１の円形の準備された表面６０および第２の円形の準備された表面６０は好ましくは同じ形状および幾何学的形状に形成される。
【００１８】
結合部材６９の端部の準備された表面６０は、好ましくは結合部材６９の端部から等距離の所にある。この実施形態において、準備された表面６０は、好ましくは円形の穴である。準備された表面６０は、結合部材６９の外周面から半球形保持部材６４を受け入れるような深さに設定される。半球形保持部材６４は結合部材６９の準備された表面６０に溶接される、または別の方法で結合される。半球形保持部材６４はリンク４〜５の組が結合部材６９から落下することを、および誤整列されることを防止する。結合部材６９の第１端部および第２端部の円形の準備された表面６０の位置は変わってもよく、それは接続されたリンク４〜５の組の幅Ｗに依存する。
【００１９】
図１３〜１５は、チェーンベルト７３の結合部材７９の準備された表面７０と円筒形の保持部材７４とを示す。チェーンベルト７３は、交互になったリンク４〜５の組を有する。リンク４〜５のそれぞれは、少なくとも１つの開口８を有する。リンク４〜５の組は、ＣＶＴの負荷部材またはストラットとして機能する結合部材７９によって相互に結合される。結合部材７９はジョイントピン７１およびロッカーピン７２を含む。ジョイントピン７１およびロッカーピン７２はそれぞれ第１端部７５および第２端部を有する（図９参照）。交互になったリンク４〜５の組は、ジョイントピン７１およびロッカーピン７２の第１および第２端部の間で結合部材７９に通される。ジョイントピン７１およびロッカーピン７２はそれぞれ第１保持部材７４を受け入れるために第１端部７５に第１の準備された表面７０を含み、および図示しないが、第２保持部材を受け入れるためにジョイントピン７１およびロッカーピン７２の第２端部に第２の準備された表面７０を含む。
【００２０】
結合部材７９の端部の準備された表面７０は、好ましくは結合部材７９の端部から等距離の所にある。この実施形態において、準備された表面７０は、好ましくは長方形の切欠きである。準備された表面７０は、結合部材７９の外周面から、円筒形保持部材７４を受け入れるような深さに設定される。代替実施形態において、保持部材７６は図１６〜１７に示されるような長方形柱体である。円筒形保持部材７４または長方形柱体保持部材７６は、結合部材７９の準備された表面７０に溶接される、または別の方法で結合される。保持部材７４、７６はリンク４〜５の組が結合部材７９から落下することを、および誤整列されることを防止する。結合部材７９の第１および第２端部の切欠き７０の位置は変わってもよく、それは接続されたリンク４〜５の組の幅Ｗに依存する。長方形柱体が保持部材として示されているが、立方体など他の形態が同様に使用されてもよいことに留意されたい。切欠き７０は、保持部材７４、７６を取り付けるための正確な位置と、保持部材７４、７６および結合部材７９の間の一貫した接触とを提供することに留意されたい。
【００２１】
図１８〜２０は、チェーンベルト８３の結合部材８９の準備された表面８０と円筒形の保持部材８４とを示す。チェーンベルト８３は、交互になったリンク４〜５の組を有する。リンク４〜５のそれぞれは、少なくとも１つの開口８を有する。リンク４〜５の組は、ＣＶＴの負荷部材またはストラットとして機能する結合部材８９によって相互に結合される。結合部材８９はピン８１およびロッカーピン８２を含む。ピン８１およびロッカーピン８２はそれぞれ第１端部８５および第２端部を有する（図９参照）。交互になったリンク４〜５の組は、ピン８１およびロッカーピン８２の第１および第２端部の間で結合部材８９に通される。ピン８１およびロッカーピン８２はそれぞれ第１保持部材８４を受け入れるために第１端部８５に第１の準備された表面８０を含み、および図示しないが、第２保持部材を受け入れるためにピン８１およびロッカーピン８２の第２端部に第２の準備された表面８０を含む。
【００２２】
結合部材８９の端部の準備された表面８０は、好ましくは結合部材８９の端部から等距離の所にある。この実施形態において、準備された表面８０は、好ましくはＬ字形の平坦部８０であり、これは結合部材８９の端部に切り込まれ、および結合部材８９の丸みを帯びた表面に対して垂直である。準備された表面８０は、結合部材８９の外周面から、円筒形保持部材８４を受け入れるような深さに設定される。代替実施形態において、保持部材８６は図２１〜２２に示されるような長方形柱体である。円筒形保持部材８４または長方形柱体保持部材８６は、結合部材８９の準備された表面８０に溶接される、または別の方法で結合される。円筒形保持部材８４または長方形柱体保持部材８６は好ましくは、保持部材８４、８６の平坦表面が平坦部８０の深さに隣接するように、平坦部８０に配置される。保持部材８４、８６は、リンク４〜５の組が結合部材８９から落下することを、および誤整列されることを防止する。結合部材８９の第１端部および第２端部の平坦部８０の位置は変わってもよく、それは接続されたリンク４〜５の組の幅Ｗに依存する。長方形柱体が保持部材として示されているが、立方体など他の形態が同様に使用されてもよいことに留意されたい。追加的に、平坦部８０は、保持部材８４を補完する形状のものである、または保持部材８４と同じ幾何学的形状のものである。
【００２３】
図２３〜２５は、チェーンベルト９３の結合部材９９の準備された表面９０と円筒形の保持部材９４とを示す。チェーンベルト９３は、交互になったリンク４〜５の組を有する。リンク４〜５のそれぞれは、少なくとも１つの開口８を有する。リンク４〜５の組は、ＣＶＴの負荷部材またはストラットとして機能する結合部材９９によって相互に結合される。結合部材９９はピン９１およびロッカーピン９２を含む。ピン９１およびロッカーピン９２はそれぞれ第１端部９５および第２端部を有する（図９参照）。交互になったリンク４〜５の組は、ピン９１およびロッカーピン９２の第１および第２端部の間で結合部材９９に通される。ピン９１およびロッカーピン９２はそれぞれ第１保持部材９４を受け入れるために第１端部９５に第１の準備された表面９０を含み、および図示しないが、第２保持部材を受け入れるためにピン９１およびロッカーピン９２の第２端部に第２の準備された表面９０を含む。
【００２４】
結合部材９９の端部の準備された表面９０は、好ましくは結合部材９９の端部から等距離の所にある。この実施形態において、準備された表面９０は、好ましくはＶ字形の切欠き９０であり、これは結合部材９９の丸みを帯びた表面から結合部材９９に切り込まれる。準備された表面９０は、結合部材９９の外周面から、円筒形保持部材９４を受け入れるような深さに設定される。代替実施形態において、保持部材９６は図２６〜２７に示されるような長方形柱体である。円筒形保持部材９４または長方形柱体保持部材９６は、結合部材９９の準備された表面９０に溶接される、または別の方法で結合される。保持部材９４、９６は、リンク４〜５の組が結合部材９９から落下することを、および誤整列されることを防止する。結合部材９９の第１端部および第２端部のｖ字形切欠き９０の位置は変わってもよく、それは接続されたリンク４〜５の組の幅Ｗに依存する。長方形柱体が保持部材として示されているが、立方体など他の形態が同様に使用されてもよいことに留意されたい。
【００２５】
図示しないが、図１０〜２７のロッカーピンおよびジョイントピンのそれぞれは、好ましくは、図９に示されるものと同様の、第２の保持部材を受け入れるための第２の保持用の穴、溝、平坦部または切欠きを第２端部に含む。
【００２６】
図１０、１３、１８および２３の結合部材の準備された表面はいずれも、図１〜５のピンで使用することができる。図１０〜２７に示される結合部材は、図１〜５に示されるような単一の接続ピンであってもよく、または図６〜９および図１０〜２７に示されるようなジョイントピンおよびロッカーピンから構成された接続ピンであってもよい。同様に、図１１、１３、１４、１６、１８、１９、２１、２４および２６に示される保持部材はいずれも、図１〜５の保持部材１２として使用可能である。
【００２７】
リンクおよび結合部材は一般的に示されていること、およびリンクまたは結合部材の種類のいかなる設計も本発明の範囲内で使用されてもよいことに留意されたい。リンクの数も同様に本発明の範囲内で図に示されているリンクから変わってもよいことにも留意されたい。
【００２８】
図において結合部材の第１端部および第２端部の第１の準備された表面および第２の準備された表面の両方は同じものとして示されていたが、上におよび図３〜２７に開示された準備された表面および関連する保持部材のあらゆる組合せが使用されてもよいことに留意されたい。
【００２９】
結合部材６９、７９、８９、９９の準備された表面６０、７０、８０、９０は、結合部材の一端において、結合部材の他端に対して変わっていてもよい。例えば、結合部材６９、７９、８９、９９の第１端部はｖ字形切欠き９０の準備された表面を有することができ、および反対の端部は長方形の切欠き７０の準備された表面を有することができる。結合部材の両端部において準備された表面によって受け入れられる保持部材６４、７４、７６、８４、８６、９４、９６は同じ形状であってもよく、または第１の形状の保持部材が結合部材の一端で受け入れられてもよく、および結合部材の反対側端部が異なる形状を受け入れてもよい。例えば、結合部材の第１端部においてｖ字形切欠き９０の準備された表面が円筒形保持部材９４を受け入れることができ、および結合部材の第２端部において長方形の切欠き７０の準備された表面が長方形柱体保持部材７６を受け入れることができる。
【００３０】
従って記載された本明細書中の本発明の実施形態は本発明の原理の適用の単なる例に過ぎないことを理解するべきである。示される実施形態の細部への本明細書における言及は請求項の範囲を制限するように意図されず、請求項自体は本発明に不可欠なものとして考えられるそれらの特徴を記載する。
【符号の説明】
【００３１】
３  チェーンベルト
４  リンク
５  リンク
８  開口
９  結合部材
９ａ  第１端部
９ｂ  第２端部
１０  第１の穴
１１  第２の穴
１２  保持部材
２０  穴
２１  穴
２２  ピン
２２ａ  頭部
２２ｂ  尾部
３０  ピン
３１  穴
３２  穴
４１  ジョイントピン
４１ａ  第１端部
４１ｂ  第２端部
４２  ロッカーピン
４２ａ  第１端部
４２ｂ  第２端部
４９  結合部材
５０  穴
５１  穴
５３  保持部材
６０  準備された表面
６１  ジョイントピン
６２  ロッカーピン
６３  チェーンベルト
６４  半球形保持部材
６５  第１端部
６９  結合部材
７０  準備された表面
７１  ジョイントピン
７２  ロッカーピン
７３  チェーンベルト
７４  円筒形保持部材
７５  第１端部
７６  長方形柱体保持部材
７９  結合部材
８０  準備された表面
８１  ピン
８２  ロッカーピン
８３  チェーンベルト
８４  円筒形保持部材
８５  第１端部
８６  保持部材
８９  結合部材
９０  準備された表面
９１  ピン
９２  ロッカーピン
９３  チェーンベルト
９４  円筒形保持部材
９５  第１端部
９６  保持部材
９９  結合部材
【図１】
2018136019.tif 000003
【図２】
2018136019.tif 000004
【図３】
2018136019.tif 000005
【図４】
2018136019.tif 000006
【図５】
2018136019.tif 000007
【図６】
2018136019.tif 000008
【図７】
2018136019.tif 000009
【図８】
2018136019.tif 000010
【図９】
2018136019.tif 000011
【図１０】
2018136019.tif 000012
【図１１】
2018136019.tif 000013
【図１２】
2018136019.tif 000014
【図１３】
2018136019.tif 000015
【図１４】
2018136019.tif 000016
【図１５】
2018136019.tif 000017
【図１６】
2018136019.tif 000018
【図１７】
2018136019.tif 000019
【図１８】
2018136019.tif 000020
【図１９】
2018136019.tif 000021
【図２０】
2018136019.tif 000022
【図２１】
2018136019.tif 000023
【図２２】
2018136019.tif 000024
【図２３】
2018136019.tif 000025
【図２４】
2018136019.tif 000026
【図２５】
2018136019.tif 000027
【図２６】
2018136019.tif 000028
【図２７】
2018136019.tif 000029
【外国語明細書】
2018136019000001.pdf